Podtech/llm-jp-corpus-v4-ja_patent huggingface dataset:
【手続補正書】
【提出日】平成17年9月8日(2005.9.8)
【手続補正１】
【補正対象書類名】特許請求の範囲
【補正対象項目名】全文
【補正方法】変更
【補正の内容】
【特許請求の範囲】
【請求項１】
記憶媒体に暗号化された形式でブロック状に記憶されたユーザデータを読出すための装置であって、該記憶媒体の記憶はブロックに分割されており、
どのユーザデータを読出すべきかを指定するユーザデータ情報と該ユーザデータをどのように処理すべきかを指定する処理情報とを含むリードコマンドを受けて解釈するためのコマンドインタフェースと、
該記憶媒体からユーザデータを読出すための読出し手段と、
該処理情報に従って該ユーザデータを処理するための処理手段と、
該処理されたユーザデータを出力するための出力手段と、
を有する装置。
【請求項２】
該処理情報は、復号化及び再暗号化の使用、割り付け方法及びリアルタイム特性、該ユーザデータの読出しエラーに関する許容可能なリトライ数を指定する、
請求項１記載の装置。
【請求項３】
該処理情報は、該ユーザデータを復号化するためにどの鍵データを使用すべきかを指定する鍵データ情報を含み、
該処理手段は、該鍵データを使用して該ユーザデータを復号化するための復号化手段を有する、
請求項１記載の装置。
【請求項４】
該リードコマンドは、該ユーザデータを復号化するために使用されるべき鍵データを含み、該鍵データは、暗号化された形式で含まれ、
該装置は、該暗号化された鍵データを復号化するための鍵復号化手段をさらに有する、
請求項３記載の装置。
【請求項５】
該鍵データは、暗号化された形式で該記憶媒体に記憶され、
該リードコマンドは、該記憶媒体から読出され、該ユーザデータを復号化するために使用されるべき鍵データを識別する鍵データ識別子を含み、
該読出し手段は、該識別された鍵データを読出すためにさらに適合され、
該装置は、該暗号化された鍵データを復号化するための鍵復号化手段をさらに有する、
請求項３記載の装置。
【請求項６】
該リードコマンドは、該ユーザデータを出力する前に、該復号化されたユーザデータを再び暗号化するために、どの再暗号化の鍵データを使用すべきかを指定する再暗号化鍵データ情報を含み、
該装置は、該出力手段により該ユーザデータを出力する前に、該復号化されたユーザデータを再び暗号化するための再暗号化手段をさらに有する、
請求項３記載の装置。
【請求項７】
記憶媒体に暗号化された形式でブロック状に記憶されたユーザデータを読出す方法であって、該記憶媒体の記憶はブロックに分割されており、
どのユーザデータを読出すべきかを指定するユーザデータ情報と該ユーザデータをどのように処理すべきかを指定する処理情報とを含むリードコマンドを受けて解釈するステップと、
該記憶媒体からユーザデータを読出すステップと、
該処理情報に従って該ユーザデータを処理するステップと、
該処理されたユーザデータを出力するステップと、
を有する方法。
【請求項８】
記憶媒体にユーザデータをブロック状に書込むための装置であって、該記憶媒体の記憶はブロックに分割されており、
どのユーザデータを書込むべきかを指定するユーザデータ情報と該ユーザデータをどのように処理すべきかを指定する処理情報とを含むライトコマンドを受けて解釈するためのコマンドインタフェースと、
該処理情報に従って該ユーザデータを処理するための処理手段と、
該処理されたユーザデータを該記憶媒体に書込むための書込み手段と、
を有する装置。
【請求項９】
該処理情報は、暗号化の使用、割り付け方法、リアルタイム特性、該ユーザデータの書込みエラーに関する許容可能なリトライ数を指定する、
請求項８記載の装置。
【請求項１０】
該処理情報は、該ユーザデータを暗号化するためにどの鍵データを使用すべきかを指定する鍵データ情報を含み、
該処理手段は、該鍵データを使用して該ユーザデータを暗号化するための暗号化手段を有する、
請求項８記載の装置。
【請求項１１】
該ライトコマンドは、該ユーザデータを暗号化するために使用されるべき鍵データを含み、該鍵データは、暗号化された形式で含まれており、
該装置は、該暗号化された鍵データを復号化するための鍵復号化手段をさらに有する、
請求項１０記載の装置。
【請求項１２】
該鍵データは、該記憶媒体に暗号化された形式で記憶され、
該ライトコマンドは、該記憶媒体から読出され、該ユーザデータを暗号化するために使用されるべき鍵データを識別する鍵データ識別子を含み、
該記憶媒体から該識別された鍵データを読出すための読出し手段と、
該暗号化された鍵データを復号化するための鍵復号化手段と、
をさらに有する請求項１０記載の装置。
【請求項１３】
記憶媒体にユーザデータをブロック状に書込む方法であって、該記憶媒体の記憶はブロックに分割されており、
どのユーザデータを書込むべきかを指定するユーザデータ情報と該ユーザデータをどのように処理すべきかを指定する処理情報とを含むライトコマンドを受けて解釈するステップと、
該処理情報に従って該ユーザデータを処理するステップと、
該処理されたユーザデータを該記憶媒体に書込むステップと、
を有する方法。
【請求項１４】
コンピュータに、請求項７又は請求項１３記載の方法を実行させるためのコンピュータプログラムコード手段を有するコンピュータプログラムであって、
該コンピュータプログラムは、コンピュータで実行される、
コンピュータプログラム。
【手続補正書】
【提出日】平成17年8月9日(2005.8.9)
【手続補正１】
【補正対象書類名】特許請求の範囲
【補正対象項目名】全文
【補正方法】変更
【補正の内容】
【特許請求の範囲】
【請求項１】
コンピュータシステムの入出力ノードであって、
第１ノードからの第１コマンドを第１通信経路を通じて受信するための第１受信ユニットと、  
前記第１コマンドに対応する第１対応コマンドを第２通信経路を通じて第２ノードに送信するように結合された第１送信ユニットと、
前期第２ノードからの第２コマンドを第３通信経路を通じて受信するための第２受信ユニットと、
前記第２コマンドに対応する第２対応コマンドを第４通信経路を通じて前期第１ノードに送信するように結合された第２送信ユニットと、
前記第１受信ユニット及び前記第２受信ユニットから選択されたコマンドを受信するよう結合されるとともに前記選択されたコマンドに対応するコマンドを周辺バスに送信するためのブリッジユニットと、を備えた入出力ノード。
【請求項２】
前記第１通信経路から前記第２通信経路及び前記周辺バスへのコマンド伝達と、前記第３通信経路から前記第４通信経路及び前記周辺バスへのコマンド伝達と、を制御するように結合された制御ユニットを更に有する、
請求項１記載の入出力ノード。
【請求項３】
前記制御ユニットは、更に、前記周辺バスから前記第２通信経路及び前記第４通信経路へのコマンド伝達を制御するためのものである、
請求項２記載の入出力ノード。
【請求項４】
前記ブリッジユニットは、更に、前記周辺バスから受信したコマンドに対応するコマンドを前記第１の送信ユニット及び前記第２送信ユニットに選択的に与える、
請求項３記載の入出力ノード。
【請求項５】
前記制御ユニットは、更に、前記第１受信ユニット、前記第２受信ユニット及び前記ブリッジユニットから受信した複数の制御コマンドに基づいて前記コマンドの伝達を選択的に制御するためのものである、
請求項４記載の入出力ノード。
【請求項６】
前記制御コマンドのそれぞれは、前記第１受信ユニット、第２受信ユニット及び前記ブリッジユニットによって受信した対応するコマンドの一部を含む、
請求項５記載の入出力ノード。
【請求項７】
前記制御ユニットは、更に、前記制御コマンドを制御コマンド・バスを介して受信するためのものである、請求項６記載の入出力ノード。
【請求項８】
前記周辺バスは、ＰＣＩバス（ＰＣＩ：Peripheral Component Interconnect）である、
請求項１記載の入出力ノード。
【請求項９】
前記周辺バスは、グラフィックス・バスである、
請求項１記載の入出力ノード。
【請求項１０】
前記第１通信経路及び第３通信経路及び前記第２通信経路及び第４通信経路は、ＨｙｐｅｒＴｒａｎｓｐｏｒｔ（登録商標）リンクである、
請求項１記載の入出力ノード。
【請求項１１】
一つ以上のプロセッサと、
相互に接続されるとともに前記一つ以上のプロセッサの所定の一つにチェーン式に接続された１つ以上の入出力ノードと、を有し、この入出力ノードは、
前記１つ以上のプロセッサの所定の一つからの第１コマンドを第１通信経路を通じて受信するための第１受信ユニットと、
前記第１コマンドに対応する第１対応コマンドを前記１つ以上の入出力ノードの前記チェーンにおける次のノードへと第２通信経路を通じて送信するように結合された第１送信ユニットと、
前記１つ以上の入出力ノードの前記チェーンにおける次のノードから第３通信経路を通じて第２コマンドを受信するための第２受信ユニットと、
前記第２コマンドに対応する第２対応コマンドを前記１つ以上のプロセッサの所定の一つへと第４通信経路を通じて送信するように結合された第２送信ユニット、
前記第１受信ユニット及び前記第２受信ユニットから選択されたコマンドを受信するよう結合されるとともに前記選択されたコマンドに対応するコマンドを周辺バスに送信するためのブリッジユニットと、を備えたコンピュータシステム。
【請求項１２】
前記入出力ノードは、前記第１通信経路から前記第２通信経路及び前記周辺バスへのコマンド伝達と、前記第３通信経路から前記第４通信経路及び前記周辺バスへのコマンド伝達と、を制御するように結合された制御ユニットを更に有する、
請求項１１記載のコンピュータシステム。
【請求項１３】
前記制御ユニットは、更に、前記周辺バスから前記第２通信経路及び前記第４通信経路へのコマンド伝達を制御するためのものである、
請求項１２記載のコンピュータシステム。
【請求項１４】
前記ブリッジユニットは、更に、前記周辺バスから受信したコマンドに対応するコマンドを前記第１の送信ユニット及び前記第２送信ユニットに選択的に与える、
請求項１３記載のコンピュータシステム。
【請求項１５】
前記制御ユニットは、更に、前記第１受信ユニット、前記第２受信ユニット及び前記ブリッジユニットから受信した複数の制御コマンドに基づいて前記コマンドの伝達を選択的に制御するためのものである、
請求項１４記載のコンピュータシステム。
【請求項１６】
前記制御コマンドのそれぞれは、前記第１受信ユニット、第２受信ユニット及び前記ブリッジユニットによって受信した対応するコマンドの一部を含む、
請求項１５記載のコンピュータシステム。
【請求項１７】
前記制御ユニットは、更に、前記制御コマンドを制御コマンド・バスを介して受信するためのものである、
請求項１６記載のコンピュータシステム。  
【請求項１８】
前記周辺バスは、ＰＣＩバス（ＰＣＩ：Peripheral Component Interconnect）である、
請求項１１記載のコンピュータシステム。
【請求項１９】
前記周辺バスは、グラフィックス・バスである、
請求項１１記載のコンピュータシステム。
【請求項２０】
前記第１通信経路及び第３通信経路及び前記第２通信経路及び第４通信経路は、ＨｙｐｅｒＴｒａｎｓｐｏｒｔ（登録商標）リンクである、
請求項１１記載のコンピュータシステム。
【手続補正書】
【提出日】平成17年8月8日(2005.8.8)
【手続補正１】
【補正対象書類名】特許請求の範囲
【補正対象項目名】全文
【補正方法】変更
【補正の内容】
【特許請求の範囲】
【請求項１】
マイクロ構造化組立体を製造する方法であって、
硬化性材料の実質的に均一なコーティングを基板上に形成するとともに、該コーティングで前縁を規定する工程と、
該前縁から始めて該コーティングを成形型に接触させるとともに、該成形型で、介在ランド領域により連結された複数のバリヤー領域を該硬化性材料に形成する工程と、
該硬化性材料を硬化させる工程と、
該成形型を取り外す工程と、
を含む、方法。
【請求項２】
実質的に均一なコーティングを形成することが、前記硬化性材料のコーティングを前記基板上に５％以下の変動を有する厚さで形成することを含む、請求項１に記載の方法。
【請求項３】
前記コーティングを成形型に接触させることが、前記コーティングを成形型に接触させて実質的に均一な中央厚さを有する介在ランド領域により連結された複数のバリヤー領域を形成することを含む、請求項１に記載の方法。
【請求項４】
前記基板上に配設された複数の電極に前記ランド領域をアラインメントすることをさらに含み、かつ前記ランド領域をアラインメントすることが、前記成形型を延伸して前記複数の電極に前記ランド領域をアラインメントすることを含む、請求項３に記載の方法。
【手続補正書】
【提出日】平成17年6月22日(2005.6.22)
【手続補正１】
【補正対象書類名】特許請求の範囲
【補正対象項目名】全文
【補正方法】変更
【補正の内容】
【特許請求の範囲】
【請求項１】
窒化アルミニウム基板上にスクリーン印刷できる厚膜組成物であって、
ａ）金、銀、白金、パラジウム、ロジウム、それらの混合物および合金からなる群より選択される導電性粉末、
ｂ）酸化ホウ素、元素ホウ素、金属ホウ化物、およびそれらの混合物から選択されるホウ素含有反応物であって、前記金属ホウ化物が、ＴｉＢ2、ＺｒＢ2、ＨｆＢ2、ＵＢ2、ＮｂＢ2、ＴａＢ2、ＣｒＢ2、ＣｏＢ、ＭｏＢ2、Ｗ2Ｂ5、ＣａＢ6、ＳｒＢ6、ＢａＢ6、ＬａＢ6、ＣｅＢ6、ＰｒＢ6、ＮｄＢ6、ＳｍＢ6、ＥｕＢ6、Ｎｉ3Ｂ6、Ｎ2Ｂ6、およびそれらの混合物からなる群より選択されるホウ素含有反応物、並びに
ｃ）ＴｉＯ2、Ｃｏ3Ｏ4、ＺｎＯ、ＳｎＯ2、Ｆｅ2Ｏ3、ＺｒＯ2、Ｃｒ2Ｏ3、ＲｕＯ2、ＲｈＯ2、ＮｉＯ、ＰｂＯ、Ｂｉ2Ｏ3、Ｇａ2Ｏ3、Ｉｎ2Ｏ3、ＧｅＯ2、およびそれらの混合物からなる群より選択される金属酸化物
を特徴とし、かつ、
ａ〜ｃが有機媒体中に分散させられるが、ただし前記ホウ素含有反応物が総組成物を基準にして１００重量部あたり１．６重量部以下であることを特徴とする厚膜組成物。
【請求項２】
窒化アルミニウム基板上にスクリーン印刷できる厚膜組成物であって、
ａ）金、銀、白金、パラジウム、ロジウム、それらの混合物および合金からなる群より選択される導電性粉末、
ｂ）酸化ホウ素、元素ホウ素、金属ホウ化物、およびそれらの混合物から選択されるホウ素含有反応物であって、前記金属ホウ化物が、ＴｉＢ2、ＺｒＢ2、ＨｆＢ2、ＵＢ2、ＮｂＢ2、ＴａＢ2、ＣｒＢ2、ＣｏＢ、ＭｏＢ2、Ｗ2Ｂ5、ＣａＢ6、ＳｒＢ6、ＢａＢ6、ＬａＢ6、ＣｅＢ6、ＰｒＢ6、ＮｄＢ6、ＳｍＢ6、ＥｕＢ6、Ｎｉ3Ｂ6、Ｎ2Ｂ6、およびそれらの混合物からなる群より選択されるホウ素含有反応物、並びに
ｃ）ＴｉＯ2、Ｃｏ3Ｏ4、ＳｎＯ2、Ｆｅ2Ｏ3、ＣｕＯ、Ｃｕ2Ｏ、ＺｒＯ2、Ｃｒ2Ｏ3、ＲｕＯ2、ＲｈＯ2、ＮｉＯ、ＰｂＯ、Ｂｉ2Ｏ3、Ｇａ2Ｏ3、Ｉｎ2Ｏ3、ＧｅＯ2およびそれらの混合物からなる群より選択される金属酸化物
を特徴とし、かつ、
ａ〜ｃが有機媒体中に分散させられるが、ただし前記ホウ素含有反応物が総組成物を基準にして１００重量部あたり１．６重量部以下であることを特徴とする厚膜組成物。
【請求項３】
前記有機媒体が揮発されている、請求項１または２に記載の組成物を含むことを特徴とする物品。
【手続補正２】
【補正対象書類名】明細書
【補正対象項目名】０００４
【補正方法】変更
【補正の内容】
【０００４】
本発明は、
ａ）導電性粉末、
ｂ）酸化ホウ素、元素ホウ素、金属ホウ化物、およびそれらの混合物から選択されるホウ素含有反応物、および
ｃ）金属酸化物を含み、
ａ〜ｃが有機媒体中に分散させられる、厚膜組成物に関する。
以下に、本発明の好ましい態様を示す。
１．  窒化アルミニウム基板上にスクリーン印刷できる厚膜組成物であって、
ａ）金、銀、白金、パラジウム、ロジウム、それらの混合物および合金からなる群より選択される導電性粉末、
ｂ）酸化ホウ素、元素ホウ素、金属ホウ化物、およびそれらの混合物から選択されるホウ素含有反応物であって、前記金属ホウ化物が、ＴｉＢ2、ＺｒＢ2、ＨｆＢ2、ＵＢ2、ＮｂＢ2、ＴａＢ2、ＣｒＢ2、ＣｏＢ、ＭｏＢ2、Ｗ2Ｂ5、ＣａＢ6、ＳｒＢ6、ＢａＢ6、ＬａＢ6、ＣｅＢ6、ＰｒＢ6、ＮｄＢ6、ＳｍＢ6、ＥｕＢ6、Ｎｉ3Ｂ6、Ｎ2Ｂ6、およびそれらの混合物からなる群より選択されるホウ素含有反応物、並びに
ｃ）ＴｉＯ2、Ｃｏ3Ｏ4、ＺｎＯ、ＳｎＯ2、Ｆｅ2Ｏ3、ＺｒＯ2、Ｃｒ2Ｏ3、ＲｕＯ2、ＲｈＯ2、ＮｉＯ、ＰｂＯ、Ｂｉ2Ｏ3、Ｇａ2Ｏ3、Ｉｎ2Ｏ3、ＧｅＯ2、およびそれらの混合物からなる群より選択される金属酸化物
を特徴とし、かつ、
ａ〜ｃが有機媒体中に分散させられるが、ただし前記ホウ素含有反応物が総組成物を基準にして１００重量部あたり１．６重量部以下であることを特徴とする厚膜組成物。
２．  窒化アルミニウム基板上にスクリーン印刷できる厚膜組成物であって、
ａ）金、銀、白金、パラジウム、ロジウム、それらの混合物および合金からなる群より選択される導電性粉末、
ｂ）酸化ホウ素、元素ホウ素、金属ホウ化物、およびそれらの混合物から選択されるホウ素含有反応物であって、前記金属ホウ化物が、ＴｉＢ2、ＺｒＢ2、ＨｆＢ2、ＵＢ2、ＮｂＢ2、ＴａＢ2、ＣｒＢ2、ＣｏＢ、ＭｏＢ2、Ｗ2Ｂ5、ＣａＢ6、ＳｒＢ6、ＢａＢ6、ＬａＢ6、ＣｅＢ6、ＰｒＢ6、ＮｄＢ6、ＳｍＢ6、ＥｕＢ6、Ｎｉ3Ｂ6、Ｎ2Ｂ6、およびそれらの混合物からなる群より選択されるホウ素含有反応物、並びに
ｃ）ＴｉＯ2、Ｃｏ3Ｏ4、ＳｎＯ2、Ｆｅ2Ｏ3、ＣｕＯ、Ｃｕ2Ｏ、ＺｒＯ2、Ｃｒ2Ｏ3、ＲｕＯ2、ＲｈＯ2、ＮｉＯ、ＰｂＯ、Ｂｉ2Ｏ3、Ｇａ2Ｏ3、Ｉｎ2Ｏ3、ＧｅＯ2およびそれらの混合物からなる群より選択される金属酸化物
を特徴とし、かつ、
ａ〜ｃが有機媒体中に分散させられるが、ただし前記ホウ素含有反応物が総組成物を基準にして１００重量部あたり１．６重量部以下であることを特徴とする厚膜組成物。
３．  無機バインダーをさらに含有することを特徴とする１．または２に記載の組成物。
４．  前記金属酸化物が、総組成物を基準にして１００重量部あたり２重量部以下であることを特徴とする１．または２に記載の組成物。
５．  前記ホウ素含有反応物および金属酸化物の組み合わせが、総組成物を基準にして１００重量部あたり３重量部以下であることを特徴とする１．または２に記載の組成物。
６．  前記組成物が空気発火可能であることを特徴とする１．または２に記載の組成物。
７．  金属酸化物形成部分をさらに含むことを特徴とする１．または２に記載の組成物。
８．  前記有機媒体が揮発されている、１．または２に記載の組成物を含むことを特徴とする物品。
【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
アノード、有機溶媒に溶解した溶質を含む有機電解質溶液、及び固体カソードを用意する工程、及びβ-アミノエノンをセルに添加する工程を含む非水系セルの製造方法。
【請求項２】
前記β-アミノエノンが電解質に添加される、請求項１記載の方法。
【請求項３】
β-アミノエノンが有機溶媒の容積に基づいて0.1〜5.0容積％の範囲で電解質に添加される、請求項２記載の方法。
【請求項４】
β-アミノエノンが有機溶媒の容積に基づいて0.2〜4.0容積％の範囲で電解質に添加される、請求項３記載の方法。
【請求項５】
β-アミノエノンが4-アミノ-3-ペンテン-2-オンである、請求項２記載の方法。
【請求項６】
カソードが硫化鉄、フッ化炭素、V2O5、WO3、MoO3、Pb3O4、PbO2、PbO、Co3O4、酸化マンガン、In2S3、NiS、Ag2CrO4、Ag3PO4、LiCoO2、LiMn2O4、Bi2O3、CuO、Cu2O及びCuSO4からなる群から選択される材料を含む、請求項２記載の方法。
【請求項７】
アノードがリチウム、ナトリウム、カリウム、カルシウム、マグネシウム、炭素、リチウム合金、ナトリウム合金、カリウム合金、カルシウム合金、マグネシウム合金及び炭素合金からなる群から選択される材料を含む、請求項２記載の方法。
【請求項８】
アノードがリチウム、ナトリウム、カリウム、カルシウム、マグネシウム、炭素、リチウム合金、ナトリウム合金、カリウム合金、カルシウム合金、マグネシウム合金及び炭素合金からなる群から選択される材料を含む、請求項６記載の方法。
【請求項９】
カソードがFeS2を含み、アノードがリチウム及びアルミニウム合金を含む、請求項８記載の方法。
【請求項１０】
さらに、ポリエーテルを電解質に添加する工程を含む請求項９記載の方法。
【請求項１１】
前記ポリエーテルが1,2-ジメトキシエタンである、請求項１０記載の方法。
【請求項１２】
さらに、環状エーテルを電解質に添加する工程を含む請求項９記載の方法。
【請求項１３】
前記環状エーテルが1,3-ジオキソランである、請求項１２記載の方法。
【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
少なくとも１つの製造装置を有する製造設備（６０）の建設計画を支援する方法であって，その場合に，
前記製造設備（６０）は，オブジェクト（１６，２０，２２，２４，２６，３２，３８，４４，４６）を含むデジタルモデル（１０）として形成されており，かつ，
前記デジタルモデル（１０）が分析のためにシミュレーション環境（８０）内へ埋め込まれ，その場合に前記デジタルモデル（１０）は，幾何学データ，運動学データ，電気的特性および制御技術的な機能ブロックを有するオブジェクト（１６，２０，２２，２４，２６，３２，３８，４４，４６）を含んでおり，かつ前記デジタルモデル（１０）はオブジェクト（１６，２０，２２，２４，２６，３２，３８，４４，４６）の互いに対する関係も含んでおり，その場合に前記デジタルモデル（１０）内に構造的に重要な関係，機能的に重要な関係およびシーケンス的に重要な関係が含まれており，かつ製造装置のオリジナル制御プログラムによってシミュレーションが遂行される，
ことを特徴とする建設計画の支援方法。
【請求項２】
さらに，エンジニアリングプロセスのための機能ブロックが結合され，前記機能ブロック内で製造シーケンスを模写することができ，かつ前記機能ブロックによってシミュレーション技術を使用して制御シーケンスと前記デジタルモデル（１０）の内部のデータフローが模写される，
ことを特徴とする請求項１に記載の建設計画の支援方法。
【請求項３】
前記デジタルモデル（１０）は，付加的な情報を含んでおり，前記情報は作業環境にアクセス可能であって，かつ前記作業環境によってプロセスシーケンス内の固有かつネイティブなデータの案内と管理のために使用される，
ことを特徴とする請求項２に記載の建設計画の支援方法。
【請求項４】
前記制御システムへのカップリングが実施され，かつ前記制御システムは模写された製造装置と情報を交換する，
ことを特徴とする請求項１から３のいずれか１項に記載の建設計画の支援方法。
【請求項５】
前記制御システムは，実際の製造装置内で使用される制御システムに相当する，
ことを特徴とする請求項６に記載の建設計画の支援方法。
【請求項６】
少なくとも１つの製造装置を有する製造設備（６０）の建設計画を支援するシステムであって，
前記システムは，前記製造設備（６０）をオブジェクト（１６，２０，２２，２４，２６，３２，３８，４４，４６）として含むデジタルモデル（１０）とシミュレーション環境（８０）を有しており，前記シミュレーション環境内へデジタルモデル（１０）が埋め込まれており，その場合に前記デジタルモデル（１０）はオブジェクト（１６，２０，２２，２４，２６，３２，３８，４４，４６）を有しており，前記オブジェクトは幾何学データ，運動学データ，電気的特性および制御技術的な機能ブロックを有しており，かつデジタルモデル（１０）はオブジェクト（１６，２０，２２，２４，２６，３２，３８，４４，４６）の互いに対する関係も含んでおり，その場合に前記デジタルモデル（１０）内に構造的に重要な関係，機能的に重要な関係およびシーケンス的に重要な関係が含まれており，製造装置のオリジナル制御プログラムによってシミュレーションが遂行される，
ことを特徴とする建設計画の支援システム。
【請求項７】
さらに，エンジニアリングプロセスのための機能ブロックが結合されており，前記機能ブロック内で製造シーケンスを模写することができ，かつ前記機能ブロックによってシミュレーション技術を使用して，プロセスシーケンスとデジタルモデル（１０）の内部のデータフローが模写される，
ことを特徴とする請求項６に記載の建設計画の支援システム。
【請求項８】
前記デジタルモデル（１０）は，エンジニアリングプロセスを支援するために付加的な情報を有しており，前記情報は作業環境にアクセス可能であって，かつ前記作業環境によってプロセスシーケンス内の固有かつネイティブなデータを案内しかつ管理するために用いられる，
ことを特徴とする請求項７に記載の建設計画の支援システム。
【請求項９】
前記制御システムへのカップリングが設けられており，前記カップリングによって制御システムは模写された製造装置と情報を交換する，
ことを特徴とする請求項６に記載の建設計画の支援システム。
【請求項１０】
前記制御システムは，実際の製造装置内で使用される制御システムに相当する，
ことを特徴とする請求項９に記載の建設計画の支援システム。
【請求項１１】
計算ユニットとメモリ装置とを有する電子的なユニットであって，その場合に，前記メモリ装置内に請求項６から１０のいずれか１項に記載のシステムが格納されており，かつ前記計算ユニットは請求項１から５のいずれか１項に記載の方法を実施するために用いられる，
ことを特徴とする電子的なユニット。
【請求項１２】
コンピュータプログラムがコンピュータ上あるいは該当する計算ユニット，特に請求項１１に記載の電子的な計算ユニット上で実施された場合に，請求項１から５のいずれか１項に記載の方法の全てのステップを実施するための，プログラムコード手段を有するコンピュータプログラム。
【請求項１３】
コンピュータプログラムがコンピュータ上あるいは該当する計算ユニット，特に請求項１１に記載の電子的な計算ユニット上で実施された場合に，請求項１から５のいずれか１項に記載の方法を実施するために，コンピュータ読取り可能なデータ担体上に記憶されている，プログラムコード手段を有するコンピュータプログラム製品。
【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
周辺装置の状態変化に応答する方法であって、
前記周辺装置に状態変化が生じたことを決定する段階と、
前記周辺装置と関連付けられた固有の装置識別子を前記状態変化と組み合わせて、電子メッセージを構成する段階と、
前記電子メッセージを、ファイアウォールを越えて送信する段階と、
を含む方法。
【請求項２】
前記決定する段階が、消耗品の量が、所定のしきい値よりも低下したことを決定する段階を含み、前記送信する段階が、前記周辺装置に収められた内蔵ウェブ・サーバからファイアウォールを越えて前記電子メッセージを送信する段階を含む、請求項１に記載の方法。
【請求項３】
前記決定する段階が、ハードコピー出力エンジンに発注トナー条件が存在することを決定する段階を含む、請求項１に記載の方法。
【請求項４】
前記組み合わせる段階が、前記周辺装置と関連付けられた所定のアカウント番号、前記周辺装置と関連付けられたシリアル番号、前記周辺装置と関連付けられたベンダ電子メール・アドレス、または前記周辺装置と関連付けられたベンダのウェブ・アドレス用のユニバーサル・リソース・ロケータ（ＵＲＬ）から成るグループから選択された固有の装置識別子と前記状態変化とを組み合わせる段階を含む、請求項１に記載の方法。
【請求項５】
ハードコピー出力エンジンのためにコンピュータで実現された制御システムであって、
ソフトウェア・モジュールを記憶するように構成されたメモリと、
前記ソフトウェア・モジュールを使用して、
前記周辺装置に状態変化が生じたことを決定し、
前記周辺装置と関連付けられた固有の装置識別子を前記状態変化と組み合わせて電子メッセージを構成し、
前記電子メッセージを、ファイアウォールを越えて送信する、ように構成された処理回路と、
を具備する、コンピュータで実現された制御システム。
【請求項６】
前記ソフトウェア・モジュールを使用して送信するように構成された前記プロセッサが、前記周辺装置に関連する消耗品およびサービスのベンダに電子メッセージを送信するように構成されたプロセッサを備え、前記ソフトウェア・モジュールを使用して送信するように構成された前記プロセッサが、前記電子メッセージを、前記周辺装置に収められた内蔵ウェブ・サーバからファイアウォールを越えて送信するように構成されたプロセッサを備えている、請求項５に記載の、コンピュータで実現された制御システム。
【請求項７】
前記ソフトウェア・モジュールを使用して決定するように構成された前記プロセッサが、前記ソフトウェア・モジュールを使用して、予防保守の必要性を示す使用量しきい値の条件を満たしたことを決定するように構成されたプロセッサを備えている、請求項５に記載の、コンピュータで実現された制御システム。
【請求項８】
前記ソフトウェア・モジュールを使用して組み合わせるように構成された前記プロセッサが、前記ソフトウェア・モジュールを使用して、前記周辺装置と関連付けられた所定のアカウント番号、前記周辺装置と関連付けられたシリアル番号、前記周辺装置と関連付けられたベンダ電子メール・アドレス、または前記周辺装置と関連付けられたベンダのウェブ・アドレス用のユニバーサル・リソース・ロケータ（ＵＲＬ）から成るグループから選択された固有の装置識別子と前記状態変化とを組み合わせるように構成されたプロセッサを備えている、請求項５に記載の、コンピュータで実現された制御システム。
【請求項９】
前記ハードコピー出力エンジンが、ファクシミリ装置、複写機、およびプリンタから成るグループから選択されている、請求項５に記載の、コンピュータで実現された制御システム。
【請求項１０】
前記ソフトウェア・モジュールを使用して決定するように構成された前記プロセッサが、前記ソフトウェア・モジュールを使用して、ハードコピー出力エンジンに発注トナー条件が存在することを決定するように構成されたプロセッサを備えている、請求項５に記載の、コンピュータで実現された制御システム。
【手続補正書】
【提出日】平成17年5月24日(2005.5.24)
【手続補正１】
【補正対象書類名】特許請求の範囲
【補正対象項目名】全文
【補正方法】変更
【補正の内容】
【特許請求の範囲】
【請求項１】
分離した又は組換え核酸であって、
(ａ)配列番号1の完全配列に対して、少なくとも98.5%、99%若しくは99.5%又は完全な配列同一性を有する核酸配列であって、該核酸がフィターゼ活性を有する少なくとも1種のポリペプチドをコードする核酸配列、
(ｂ)配列番号1に示された配列をもつ核酸配列を含む分離した又は組換え核酸、
(ｃ)配列番号2に示された配列をもつポリぺプチドをコードしている核酸配列、又は
(ｄ)(ａ)又は(ｂ)に相補的な核酸配列
を含むことを特徴とする核酸。
【請求項２】
請求項1に記載の核酸配列、又は
分離した又は組換えポリペプチドであって、(ａ)配列番号2の配列に対して、少なくとも98.5%、99%又は99.5%の配列同一性を有するアミノ酸配列、(ｂ)配列番号2に示されたアミノ酸配列、又は(ｃ)請求項1に記載の配列を含む核酸によりコードされるポリペプチドを含むポリペプチドをコードする核酸
を含む核酸を含んでいることを特徴とする発現カセット、クローニング伝達体又はベクター。
【請求項３】
請求項2に記載のベクター、発現カセット若しくはクローニング伝達体、
請求項1に記載の核酸、又は
分離した又は組換えポリペプチドであって、(ａ)配列番号2の配列に対して、少なくとも98.5%、99%又は99.5%の配列同一性を有するアミノ酸配列、(ｂ)配列番号2に示されたアミノ酸配列、又は(ｃ)請求項1に記載の配列を含む核酸によりコードされるポリペプチドを含むポリペプチドをコードする核酸
を含むことを特徴とする形質転換細胞。
【請求項４】
請求項1に記載の核酸配列、又は
分離した又は組換えポリペプチドであって、(ａ)配列番号2の配列に対して、少なくとも98.5%、99%又は99.5%の配列同一性を有するアミノ酸配列、(ｂ)配列番号2に示されたアミノ酸配列、又は(ｃ)請求項1に記載の配列を含む核酸によりコードされるポリペプチドを含むポリペプチドをコードする核酸
を含むことを特徴とするトランスジェニック非ヒト動物。
【請求項５】
請求項1に記載の核酸配列、又は
分離した又は組換えポリペプチドであって、(ａ)配列番号2の配列に対して、少なくとも98.5%、99%又は99.5%の配列同一性を有するアミノ酸配列、(ｂ)配列番号2に示されたアミノ酸配列、又は(ｃ)請求項1に記載の配列を含む核酸によりコードされるポリペプチドを含むポリペプチドをコードする核酸
を含むことを特徴とするトランスジェニック植物又は種子。
【請求項６】
分離した又は組換えポリペプチドであって、
(ａ)配列番号2の配列に対して、少なくとも98.5%、99%又は99.5%の配列同一性を有するアミノ酸配列、
(ｂ)配列番号2に示されたアミノ酸配列、又は
(ｃ)請求項1に記載の配列を含む核酸によりコードされるポリペプチド
を含むことを特徴とするポリペプチド。
【請求項７】
固定化された請求項6に記載のポリペプチド又は固定化された請求項1に記載の核酸配列を有するポリヌクレオチドを含むことを特徴とするアレイ。
【請求項８】
請求項6に記載のポリぺプチド又は請求項1に記載の核酸によってコードされたポリぺプチドに特異的に結合する、分離した又は組換え抗体。
【請求項９】
請求項6に記載のポリぺプチド又は請求項1に記載の核酸によってコードされたポリぺプチドを含む、動物用の栄養補助食品、可食用ペレット又は可食用酵素送達マトリックス。
【請求項１０】
請求項6に記載のアミノ酸配列又は請求項1に記載の核酸によってコードされたポリぺプチドを有する組換えフィターゼタンパク質を含む食料を含むことを特徴とする飼料組成物。
【請求項１１】
請求項6に記載のポリぺプチドを含む大豆ミールであって、該ポリぺプチドがフィターゼ活性を含んでいる、前記大豆ミール。
【請求項１２】
トウモロコシ粒やモロコシ粒を処理する方法であって、
(a)フィターゼ活性を有する、請求項6に記載のアミノ酸配列又は請求項1に記載の配列をもつ核酸によってコードされたポリぺプチドを含むポリペプチドを準備するステップと、
(b)コーンスティープリカー又はソルガムスティープリカーを含む組成物を準備するステップと、
(c)ステップ(a)の該ポリぺプチドとステップ(b)の該組成物とを該ポリぺプチドがイノシトール無機リン酸結合を切断し得る条件下で接触させるステップと
を含む、前記方法。
【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
アミノ酸配列ＳＳＤＧＬＷＮＮＮＱＴＱＬＦＬＥＨＳ（配列番号１）内のエピトープまたは該アミノ酸配列ＳＳＤＧＬＷＮＮＮＱＴＱＬＦＬＥＨＳ（配列番号１）が重複するエピトープに結合する、単離された抗体またはその抗原結合フラグメント。
【請求項２】
受託番号ＰＴＡ−３３５０の下でＡＴＣＣに寄託されたハイブリドーマにより生成される抗体と同じエピトープ特異性を有する、単離された抗体またはその抗原結合フラグメント。
【請求項３】
受託番号ＰＴＡ−３３５０の下でＡＴＣＣに寄託されたハイブリドーマにより生成される抗体の結合を交差ブロックする、単離された抗体またはその抗原結合フラグメント。
【請求項４】
前記抗体またはその抗原フラグメントは、アミノ酸配列ＳＳＤＧＬＷＮＮＮＱＴＱＬＦＬＥＨＳ（配列番号１）内のエピトープに結合する、請求項１に記載の単離された抗体またはその抗原結合フラグメント。
【請求項５】
検出可能な標識に連結されている、請求項１、２、３または４に記載の単離された抗体またはその抗原結合フラグメントを含む、結合体。
【請求項６】
請求項１、２、３または４に記載の単離された抗体またはその抗原結合フラグメントおよび毒素部分を含む、結合体または融合ポリペプチド。
【請求項７】
前記抗体は、ヒト化抗体である、請求項１、２、３または４に記載の単離された抗体またはその抗原結合フラグメント。
【請求項８】
前記抗体は、完全ヒト抗体である、請求項１、２、３または４に記載の単離された抗体またはその抗原結合フラグメント。
【請求項９】
前記抗体は、モノクローナル抗体である、請求項１、２、３または４に記載の単離された抗体またはその抗原結合フラグメント。
【請求項１０】
前記抗体は、一本鎖抗体である、請求項１、２、３または４に記載の単離された抗体またはその抗原結合フラグメント。
【請求項１１】
前記抗体またはその抗原結合フラグメントは、ポリクローナル抗体、キメラ抗体、Ｆａｂフラグメント、Ｆ（ａｂ’）２フラグメント、Ｆａｂ’フラグメント、Ｆｓｃフラグメント、またはＦｖフラグメントである、請求項１、２、３または４に記載の単離された抗体またはその抗原結合フラグメント。
【請求項１２】
受託番号ＰＴＡ−３３５０の下でＡＴＣＣに寄託されたハイブリドーマにより生成される抗体。
【請求項１３】
受託番号ＰＴＡ−３３５０の下でＡＴＣＣに寄託されたハイブリドーマＡＢＥ３。
【請求項１４】
細胞からの可溶性形態のＫＩＭ−１ポリペプチドの放出を阻害するための薬学的組成物であって、該組成物は、有効量の請求項１〜４または７〜１１のいずれかに記載の単離された抗体またはその抗原結合フラグメント、あるいは請求項１２に記載の抗体を含有する、薬学的組成物。
【請求項１５】
請求項１４に記載の薬学的組成物であって、前記細胞は腎細胞である、薬学的組成物。
【請求項１６】
請求項１５に記載の薬学的組成物であって、前記腎細胞は、腎癌細胞である、薬学的組成物。
【請求項１７】
請求項１４に記載の薬学的組成物であって、前記細胞は、インビトロの細胞である、薬学的組成物。
【請求項１８】
請求項１４に記載の薬学的組成物であって、前記細胞は、インビボの細胞である、薬学的組成物。
【請求項１９】
請求項１８に記載の薬学的組成物であって、前記有効量は、約０．１〜約１００ｍｇ／ｋｇである、薬学的組成物。
【請求項２０】
請求項１８に記載の薬学的組成物であって、前記有効量は、約１〜約２０ｍｇ／ｋｇである、薬学的組成物。
【請求項２１】
請求項１８に記載の薬学的組成物であって、前記有効量は、１〜６時間の注入期間の間に静脈内注入による投与のために処方される、薬学的組成物。
【請求項２２】
請求項１４に記載の薬学的組成物であって、前記可溶性形態のＫＩＭ−１ポリペプチドは、ＶＫＶＧＧＥＡＧＰ（配列番号２）からなるアミノ酸配列を含む、薬学的組成物。
【請求項２３】
ＫＩＭ−１ポリペプチドのタンパク質分解を阻害するための薬学的組成物であって、該薬学的組成物は、有効量の請求項１〜４または７〜１１のいずれかに記載の単離された抗体またはその抗原結合フラグメント、あるいは請求項１２に記載の抗体を含有する、薬学的組成物。
【請求項２４】
哺乳動物における腎臓疾患または腎臓傷害を処置または予防するための薬学的組成物であって、該薬学的組成物は、有効量の請求項１〜４または７〜１１のいずれかに記載の単離された抗体またはその抗原結合フラグメント、あるいは請求項１２に記載の抗体を含有する、薬学的組成物。
【請求項２５】
請求項２４に記載の薬学的組成物であって、前記腎臓疾患または腎臓傷害は、腎臓癌である、薬学的組成物。
【請求項２６】
請求項２５に記載の薬学的組成物であって、前記腎臓癌は、腎臓癌腫である、薬学的組成物。
【請求項２７】
請求項２４〜２６に記載の薬学的組成物であって、前記哺乳動物は、ヒトである、薬学的組成物。
【請求項２８】
治療における使用のための薬学的組成物であって、該薬学的組成物は、有効量の請求項１〜４または７〜１１のいずれかに記載の単離された抗体またはその抗原結合フラグメント、あるいは請求項１２に記載の抗体を含有する、薬学的組成物。
【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
疼痛障害を処置し得る化合物を同定するための方法であって、該方法は、以下：
ａ）試験化合物を、以下：
ｉ）配列番号２のアミノ酸配列に対して少なくとも９５％同一であるアミノ酸配列を含むポリペプチドであって、該ポリペプチドは、カリウムチャネル活性を有する、ポリペプチド；および
ｉｉ）配列番号１または配列番号３のヌクレオチド配列に対して少なくとも９５％同一であるヌクレオチド配列を含む核酸分子によってコードされるポリペプチドであって、該ポリペプチドは、カリウムチャネル活性を有する、ポリペプチド
からなる群より選択されるポリペプチドを含むサンプルと接触させる工程；
ｂ）該ポリペプチドの活性に対する該化合物の効果を決定する工程；ならびに
ｃ）該ポリペプチドの活性を調節し得る化合物を選択する工程
を包含し、それによって、疼痛障害を処置し得る化合物を同定する、方法。
【請求項２】
前記サンプルが、前記ポリペプチドまたは該ポリペプチドを発現する細胞を含む、請求項１に記載の方法。
【請求項３】
前記細胞が、脳細胞、脊髄細胞および後根神経節由来の細胞からなる群より選択される、請求項２に記載の方法。
【請求項４】
前記化合物が、低分子、ペプチドまたは抗体である、請求項１に記載の方法。
【請求項５】
前記活性が、カリウムチャネル活性である、請求項１に記載の方法。
【請求項６】
疼痛障害を処置し得る化合物を同定するための方法であって、該方法は、以下：
ａ）試験化合物を、以下：
ｉ）配列番号１または配列番号３のヌクレオチド配列を含む核酸分子によってコードされるポリペプチド；および
ｉｉ）配列番号２のアミノ酸配列を含むポリペプチド
からなる群より選択されるポリペプチドを含むサンプルと接触させる工程；
ｂ）該ポリペプチドの活性に対する該化合物の効果を決定する工程；ならびに
ｃ）該ポリペプチドの活性を調節し得る化合物を選択する工程
を包含し、それによって、疼痛障害を処置し得る化合物を同定する、方法。
【請求項７】
前記サンプルが、前記ポリペプチドまたは該ポリペプチドを発現する細胞を含む、請求項６に記載の方法。
【請求項８】
前記細胞が、脳細胞、脊髄細胞および後根神経節由来の細胞からなる群より選択される、請求項７に記載の方法。
【請求項９】
前記化合物が、低分子、ペプチドまたは抗体である、請求項６に記載の方法。
【請求項１０】
前記活性が、カリウムチャネル活性である、請求項６に記載の方法。
【請求項１１】
疼痛障害を有するかまたは疼痛障害を発症する危険性のある被験体を同定するためのキットであって、配列番号１または配列番号３の少なくとも２５連続するヌクレオチドを含むハイブリダイゼーションプローブを備える、キット。
【請求項１２】
疼痛障害を有するかまたは疼痛障害を発症する危険性のある被験体を同定するためのキットであって、第一の増幅プライマーおよび第二の増幅プライマーを備え、該第一プライマーは、配列番号１または配列番号３の少なくとも２５連続するヌクレオチドを含み、該第二プライマーは、配列番号１または配列番号３の相補体の少なくとも２５連続するヌクレオチドを含む、キット。
【請求項１３】
疼痛障害を有するかまたは疼痛障害を発症する危険性のある被験体を同定するためのキットであって、該キットは、抗体を備え、該抗体は、以下：
ｉ）配列番号１または配列番号３のヌクレオチド配列を含む核酸分子によってコードされるポリペプチド；および
ｉｉ）配列番号２のアミノ酸配列を含むポリペプチド
からなる群より選択されるポリペプチドに対して選択的に結合し得る、キット。
【請求項１４】
疼痛障害を有する被験体を処置するための薬学的組成物であって、請求項１または６において同定される化合物を含む、薬学的組成物。
【手続補正書】
【提出日】平成17年5月13日(2005.5.13)
【手続補正１】
【補正対象書類名】特許請求の範囲
【補正対象項目名】全文
【補正方法】変更
【補正の内容】
【特許請求の範囲】
【請求項１】
ＳＥＱ  ＩＤ  ＮＯ：４に対して少なくとも８０％のアミノ酸配列同一性を有し、ＳＥＱ  ＩＤ  ＮＯ：４の１２７−１３１の位置にあるフューリン開裂部位ＲＲＫＲＫを不活性化するように修飾され、かつ少なくとも１つのＴＳＬＰ活性を有するポリペプチド、をコードするポリヌクレオチドを含む単離核酸分子。
【請求項２】
ＳＥＱ  ＩＤ  ＮＯ：１０、１２、１４、１６、１７または１８に対して少なくとも８０％のアミノ酸配列同一性を有し、かつ不活性化フューリン開裂部位および少なくとも１つのＴＳＬＰ活性を有するポリペプチドを、ポリヌクレオチドがコードする、請求項１に記載の単離核酸分子。
【請求項３】
ポリヌクレオチドがＳＥＱ  ＩＤ  ＮＯ：３またはその相補体に対して少なくとも８０％の配列同一性を有し、該ポリヌクレオチドが不活性化フューリン開裂部位および少なくとも１つのＴＳＬＰ活性を有するポリペプチドをコードする、請求項１に記載の単離核酸分子。
【請求項４】
さらに、異種タンパク質をコードするヌクレオチド配列を、請求項１に記載のポリヌクレオチドと読み枠が一致した状態で含む、請求項１に記載の核酸分子。
【請求項５】
異種タンパク質が細胞ターゲティング部分またはペプチドタグである、請求項４に記載の核酸分子。
【請求項６】
細胞ターゲティング部分が、細胞表面抗原を結合する抗体または細胞表面受容体に結合するリガンドである、請求項５に記載の核酸分子。
【請求項７】
異種タンパク質がＦｃポリペプチドである、請求項４に記載の核酸分子。
【請求項８】
機能可能な状態で転写または翻訳調節配列に結合した、請求項１に記載の核酸分子。
【請求項９】
転写または翻訳調節配列が転写プロモーターまたはエンハンサーを含む、請求項８に記載の核酸分子。
【請求項１０】
ＳＥＱ  ＩＤ  ＮＯ：４に対して少なくとも８０％のアミノ酸配列同一性を有し、ＳＥＱ  ＩＤ  ＮＯ：４の１２７−１３１の位置にあるフューリン開裂部位ＲＲＫＲＫを不活性化するように修飾され、かつ少なくとも１つのＴＳＬＰ活性を有する、修飾したヒト胸腺ストローマ細胞リンホポエチン（ＴＳＬＰ）ポリペプチドを含むタンパク質。
【請求項１１】
ポリペプチドがＳＥＱ  ＩＤ  ＮＯ：１０、１２、１４、１６、１７および１８に対して少なくとも８０％のアミノ酸配列同一性を有し、ポリペプチドが不活性化フューリン開裂部位および少なくとも１つのＴＳＬＰ活性を有する、請求項１０に記載のタンパク質。
【請求項１２】
ポリペプチドが異種タンパク質に融合している、請求項１０に記載のタンパク質。
【請求項１３】
異種タンパク質がペプチドタグまたは細胞ターゲティング部分である、請求項１２に記載のタンパク質。
【請求項１４】
異種タンパク質がＦｃポリペプチドである、請求項１２に記載のタンパク質。
【請求項１５】
請求項１〜９のいずれか１項に記載の核酸を含むベクター。
【請求項１６】
請求項１〜９のいずれか１項に記載の核酸分子を発現するように遺伝子工学的に処理された宿主細胞。
【請求項１７】
請求項１０に記載のポリペプチドおよび医薬的に許容できるキャリヤーを含む組成物。
【請求項１８】
請求項１〜９のいずれか１項に記載の核酸分子を発現するように遺伝子工学的に処理された宿主細胞をインキュベートし、そして、少なくとも１つの機能性ヒトＴＳＬＰ活性を有するフューリン抵抗性ポリペプチドを産生させる方法。
【請求項１９】
リンパ球増殖を刺激する、又はリンパ球形成を促進するための医薬組成物であって、有効量の請求項１０に記載のタンパク質または請求項１２に記載のタンパク質を含む、前記医薬組成物。
【請求項２０】
ＳＴＡＴ５のリン酸化を誘発する方法であって、ＳＴＡＴ５を含有する試料を請求項１０に記載のタンパク質または請求項１２に記載のタンパク質と接触させることを含む方法。
【請求項２１】
請求項１０に記載のタンパク質およびキャリヤーを含むワクチンアジュバント。
【請求項２２】
リンパ球増殖を刺激するための、リンパ球形成を促進するための、あるいはＳＴＡＴ５のリン酸化を誘発するための医薬の製造における、請求項１に記載の核酸分子または請求項１０に記載のタンパク質の使用。
【請求項２３】
請求項１０に記載のタンパク質に対する抗体。
【手続補正書】
【提出日】平成17年1月17日(2005.1.17)
【手続補正１】
【補正対象書類名】特許請求の範囲
【補正対象項目名】全文
【補正方法】変更
【補正の内容】
【特許請求の範囲】
【請求項１】
細胞死調節用医薬組成物を調製するための、細胞障害性因子及び細胞障害性因子の変異体又は誘導体からなる群より選ばれる化合物の使用。
【請求項２】
細胞障害性因子がＡＴＰ-利用酵素、レドックスタンパク質、ＡＴＰ生成の活性化物質、及びＡＴＰ生成の阻害剤からなる群から選択される、請求項１に記載の使用。
【請求項３】
前記化合物がアズリン又はその変異体若しくは誘導体又はシトクロムＣ551又はその変異体若しくは誘導体である、請求項１に記載の使用。
【請求項４】
前記化合物が癌細胞の細胞死を増加させる、請求項１に記載の使用。
【請求項５】
癌細胞がメラノーマ細胞、白血病細胞、乳癌細胞、卵巣癌細胞、肺癌細胞、間葉癌細胞、大腸癌細胞、及びアエロ消化管癌細胞からなる群より選ばれる、請求項４に記載の使用。
【請求項６】
癌細胞がメラノーマ細胞である、請求項５に記載の使用。
【請求項７】
前記化合物が細胞アポトーシスを増加させる、請求項１に記載の使用。
【請求項８】
前記医薬組成物がアズリン及びシトクロムＣ551を含む、請求項１に記載の使用。
【請求項９】
細胞増殖阻害用医薬組成物を調製するための、細胞障害性因子及び細胞障害性因子の変異体又は誘導体からなる群より選ばれる化合物の使用。
【請求項１０】
前記細胞が癌細胞である、請求項９に記載の使用。
【請求項１１】
細胞障害性因子がアズリン又はシトクロムＣ551である、請求項１０に記載の使用。
【請求項１２】
前記化合物が細胞アポトーシスを増加させる、請求項１０に記載の使用。
【請求項１３】
前記細胞がメラノーマ細胞、白血病細胞、乳癌細胞、卵巣癌細胞、肺癌細胞、間葉癌細胞、大腸癌細胞、及びアエロ消化管癌細胞からなる群より選ばれる、請求項１０に記載の使用。
【請求項１４】
前記細胞がメラノーマ細胞である、請求項１２に記載の使用。
【請求項１５】
細胞障害性因子がアズリンである、請求項１１に記載の使用。
【請求項１６】
さらに前記細胞をシトクロムＣ551又はその変異体若しくは誘導体と接触させることを含む請求項１５に記載の使用。
【請求項１７】
細胞障害性因子がシトクロムＣ551である、請求項１１に記載の使用。
【請求項１８】
細胞障害性因子又は細胞障害性因子の変異体若しくは誘導体、及び薬剤的に許容される賦形剤を含む医薬組成物。
【請求項１９】
細胞障害性因子がアズリンである、請求項１８に記載の医薬組成物。
【請求項２０】
細胞障害性因子がシトクロムＣ551である、請求項１８に記載の医薬組成物。
【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
ａ）１）マトリクスと、
２）１つまたはそれ以上の離れている転写剤スペースと、
３）１つまたはそれ以上の離れている該転写剤スペースに収容される１つまたはそれ以上の転写剤層
とからなる担体、及び
ｂ）１つまたはそれ以上の該転写剤層の上かまたは内部に付着される遺伝物質
を含むことを特徴とする装置。
【請求項２】
前記転写剤層の少なくとも１つが、ショ糖及びブドウ糖のうちの少なくとも１つから選択された糖類からなることを特徴とする請求項１に記載の担体。
【請求項３】
ａ）担体と、
ｂ）転写剤層と、
ｃ）各々が遺伝物質を含む該転写剤層の上かまたは内部に第１の遺伝物質位置及び第２の遺伝物質位置とからなる装置であって、
該第１の遺伝物質位置の遺伝物質が、確定集団内の個体の少なくとも１つの細胞からのゲノムＤＮＡの２つ以上の染色体を含む精製ゲノムＤＮＡからなり、該第２の遺伝物質位置の遺伝物質が、確定集団内の個体の少なくとも１つの細胞からのゲノムＤＮＡの２つ以上の染色体を含む精製ゲノムＤＮＡからなり、かつ、前記第１の遺伝物質位置の遺伝物質が、前記第２の遺伝物質位置の遺伝物質から分離されていることを特徴とする装置。
【手続補正書】
【提出日】平成17年9月14日(2005.9.14)
【手続補正１】
【補正対象書類名】特許請求の範囲
【補正対象項目名】請求項７
【補正方法】変更
【補正の内容】
【請求項７】
実行時に、プログラマブルな装置を請求項４記載のシステムとして機能させることを可能とする、コンピュータプログラム。
【手続補正書】
【提出日】平成17年9月15日(2005.9.15)
【手続補正１】
【補正対象書類名】特許請求の範囲
【補正対象項目名】請求項１８
【補正方法】変更
【補正の内容】
【請求項１８】
コンピュータプログラムの実行時にプログラマブル装置が請求項１乃至請求項１０のいずれか１項に記載の装置として働くことを可能にするコンピュータプログラム。
【手続補正書】
【提出日】平成17年9月14日(2005.9.14)
【手続補正１】
【補正対象書類名】特許請求の範囲
【補正対象項目名】全文
【補正方法】変更
【補正の内容】
【特許請求の範囲】
【請求項１】
体管の中の管腔を少なくとも部分的に閉鎖するための外科的装置であって、該外科的装置は：
外筒であって、該外筒中に形成された少なくとも１つの半径方向スロットを備える環状側壁を有する、外筒；ならびに
該外筒内に配置される内筒であって、該内筒は、該内筒中に形成された少なくとも１つの半径方向スロットを備える環状側壁を有し、該内筒および該外筒は、該半径方向スロットが実質的に整列し、該半径方向スロットの中に体管を受け取る開口位置と、該半径方向スロットが整列しておらず、それにより該体管が締め付けられ少なくとも部分的に該体管の管腔を閉鎖する閉鎖位置との間の回転運動に適合する、内筒、
を備える、外科的装置。
【請求項２】
前記外筒および前記内筒が、各々、少なくとも１対の半径方向スロットを備え、該内筒の側壁に形成された該対になった半径方向スロットの各々は、該外筒に形成された対になったスロットのそれぞれに対応し、それによって、前記開口位置で該外筒および該内筒のそれぞれのスロットは実質的に整列しており、そしてそれにより前記閉鎖位置で、該それぞれのスロットは整列しておらず、該体管の長さに沿った２つの位置で該体管を締め付ける、請求項１に記載の外科的装置。
【請求項３】
前記外筒および前記内筒が、前記閉鎖位置に向かって偏っている、請求項１または２に記載の外科的装置。
【請求項４】
前記外筒および前記内筒におけるスロットが、該外筒および内筒の各遠位端に延びる、請求項１、２または３に記載の外科的装置。
【請求項５】
前記外筒および前記内筒を前記開口位置に維持するための、該外筒および該内筒に作動的に結合可能な整列部材を備え、該整列部材は、選択的に移動可能であって、該外筒および該内筒が前記閉鎖位置へ移動することを許容する、請求項１、２、３または４に記載の外科的装置。